(57)【要約】      （修正有）【課題】発生源である家庭において、安全に簡易に、年間を通していつでも、安定的に、乾燥堆肥をペレット化することができるバイオマス堆肥ペレット製造装置を提供する。【解決手段】バイオマス堆肥製造機により水分含有量が１０〜２０重量％の乾燥バイオマス堆肥を製造し、家庭用バイオマス堆肥ペレット製造装置に供給し、ペレット状のバイオマス堆肥・燃料を製造する。前記ペレット製造機はシリンダー形状を有し、圧力によりペレットが押し出されるダイス孔７がシリンダー１０空間の一方に開けられたコンテナ６と、前記ダイス孔７に対向する方向から上記コンテナ６内に押し入れ可能で、上記投入されたバイオマス堆肥をコンテナ６内にビレット状態に押し詰めるピストン状のステム３と、前記ステム３を前記コンテナ６内に押し入れ、コンテナ内のビレット状態のバイオマス堆肥を圧縮して前記ダイス孔７からペレット状に押し出すジャッキアップ５とを有する。【選択図】図４
2011251888.tif 000002
【特許請求の範囲】
【請求項１】
バイオマスを発酵させて水分含有量が１０〜２０重量％のバイオマス堆肥を製造するバイオマス堆肥製造機と、該バイオマス堆肥製造機により製造された無定形のバイオマス堆肥からペレット状のバイオマス堆肥・燃料とするペレット製造機とで構成されてなる家庭用バイオマス堆肥ペレット製造装置であって、
前記ペレット製造機はシリンダ形状を有し、バイオマス堆肥が投入される投入口がその上側部に設けられ、投入されたバイオマス堆肥がビレット状態で保持され、圧力によりペレットが押し出されるダイス孔がシリンダ空間の一方に開けられたコンテナと、
前記ダイス孔に対向する方向から前記コンテナ内に押し入れ可能で、投入されたバイオマス堆肥をコンテナ内にビレット状態に押し詰めるピストン状のステムと、
前記ステムをコンテナ内に押し入れ、該コンテナ内のビレット状態のバイオマス堆肥を圧縮して前記ダイス孔からペレット状に押し出すジャッキアップと
を有することを特徴とする家庭用バイオマス堆肥ペレット製造装置。
【請求項２】
前記バイオマス堆肥製造機が、出し入れ可能な穴開き・濾過式攪拌機付き内箱容器と外箱容器とを有する二重構造の発酵機を備えるものであり、生ゴミと腐葉土を混合してなる粉砕小片であって、水分含有量５０〜８０重量％のものを発酵させた後、得られた発酵物を前記穴開き・濾過式攪拌機付き内箱容器のまま外に出して熟成・乾燥させることで、水分含有量が１０〜２０重量％のバイオマス堆肥を製造するものである請求項１に記載の家庭用バイオマス堆肥ペレット製造装置。
【請求項３】
前記ステムの先端にはダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために前記ステムを前記コンテナ内に出し入れさせる手動の取手が設けられていることを特徴とする請求項１又は２に記載の家庭用バイオマス堆肥ペレット製造装置。
【請求項４】
前記ステムはスプリングを介して前記コンテナに取付けられ、前記ステムが前記コンテナ内に押し込まれた後、前記スプリングの弾性力・撓み力により略元の位置に戻るものである請求項３に記載の家庭用バイオマス堆肥ペレット製造装置。
【請求項５】
前記ジャッキアップが油圧手動式のものであり、ダイス孔よりバイオマス堆肥ペレットが押し出された後、ジャッキアップのエアー抜きをすることで、前記ステム及びダミーブロックと連動してジャッキアップが略元の状態に戻るものである請求項４に記載の家庭用バイオマス堆肥ペレット製造装置。
【発明の詳細な説明】
【技術分野】
【０００１】
本発明は、家庭で発生した生ゴミ等のバイオマスを発酵させて、無定形のバイオマス堆肥を製造するバイオマス堆肥製造機と、該バイオマス堆肥製造機により製造された無定形のバイオマス堆肥からペレット状のバイオマス堆肥とするペレット製造機とで構成されてなる家庭用バイオマス堆肥ペレット製造装置に関する。
【背景技術】
【０００２】
従来、ゴミの減量化、エコロジー等を目的として、家庭で発生する生ゴミ等のバイオマスを発酵させて無定形のバイオマス堆肥とし、ペレット化して燃料・肥料源として用いることが、極一部の行政に於いて試験的に行われている。
また、使用される装置（民生用の市販品）は、単に乾燥堆肥を製造するものや単に大鋸屑をペレット化する大型プラントペレット製造機が主流であり、価格も高額で、操作も容易ではなく、維持費も高額である。
【０００３】
生ゴミ等のバイオマスを発酵させてバイオマス堆肥を製造する堆肥製造機としては、種々のものが知られている。しかしながら、従来の堆肥製造機は、高額の電子化された複雑付帯設備機器・システム装置であり、複雑過ぎて内容的に難しく、各家庭で用いるには高価であり、維持費がかかりすぎるという問題があった。
【０００４】
一方、無定形のバイオマス堆肥のペレット化は、従来、木材大鋸屑のノンロースト・ローストペレット製造機等、主として数少ない大型プラント工場に設置されたペレット製造機により行われている。このようなペレット製造機は、比較的小型のものでも価格が数百万円と高価であり、それによって作られたペレット燃料も個人、家庭単位で購入することは困難・抵抗がある。また、このような大型プラントに設置されたペレット製造機を用いたのでは、ペレット製造過程、商品燃焼使用時にダイオキシンが発生する等の環境破壊がなされ、本末転倒となる場合もある。
【発明の概要】
【発明が解決しようとする課題】
【０００５】
生ゴミ等の処理は、各市町村において苦慮している社会的問題（経済・環境等々課題）であるが、全てが行政任せのために、過大な行政負担となり、非経済的で、むしろ環境破壊に繋がりかねない。
本発明はかかる実情に鑑みてなされたものであり、発生源である家庭における生ゴミ、落ち葉、大鋸屑、雑草、新聞紙、雑誌等のバイオマスを、各家庭毎に、安全に簡易に、年間を通して安定的に、乾燥堆肥・ペレット化することができる家庭用ミニプラントであるバイオマス堆肥ペレット製造装置を提供することを目的とする。
【課題を解決するための手段】
【０００６】
本発明者は、上記課題を解決すべく鋭意研究した結果、各家庭ごとに、家庭で発生する生ゴミ等のバイオマスから、年間を通して安定的に、環境にもやさしくて安全に簡易に安価に、しかも有事（天災・戦争等）の際にも、手動自動化機械として常時乾燥堆肥・ペレットをつくることができる家庭用バイオマス堆肥ペレット製造装置を考案した。
【０００７】
かくして本発明によれば、下記（１）〜（５）の家庭用バイオマス堆肥ペレット製造装置が提供される。
【０００８】
（１）バイオマスを発酵させて水分含有量が１０〜２０重量％のバイオマス堆肥を製造するバイオマス堆肥製造機と、該バイオマス堆肥製造機により製造された無定形のバイオマス堆肥からペレット状のバイオマス堆肥・燃料とするペレット製造機とで構成されてなる家庭用バイオマス堆肥ペレット製造装置であって、
前記ペレット製造機はシリンダー形状を有し、バイオマス堆肥が投入される投入口がその上側部に設けられ、投入されたバイオマス堆肥がビレット状態で保持され、圧力によりペレットが押し出されるダイス孔がシリンダー空間の一方に開けられたコンテナと、前記ダイス孔に対向する方向から前記コンテナ内に押し入れ可能で、投入されたバイオマス堆肥をコンテナ内にビレット状態に押し詰めるピストン状のステムと、
前記ステムをコンテナ内に押し入れ、該コンテナ内のビレット状態のバイオマス堆肥を圧縮して前記ダイス孔からペレット状に押し出すジャッキアップと
を有することを特徴とする家庭用バイオマス堆肥ペレット製造装置。
【０００９】
（２）前記バイオマス堆肥製造機が、出し入れ可能な穴開き・濾過式攪拌機付き内箱容器と外箱容器とを有する二重構造の発酵機を備えるものであり、生ゴミと腐葉土を混合してなる粉砕小片であって、水分含有量５０〜８０重量％のものを発酵させた後、得られた発酵物を前記穴開き・濾過式攪拌機付き内箱容器のまま外に出して熟成・乾燥させることで、水分含有量が１０〜２０重量％のバイオマス堆肥を製造するものである（１）に記載の家庭用バイオマス堆肥ペレット製造装置。
（３）前記ステムの先端にはダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために前記ステムを前記コンテナ内に出し入れさせる手動の取手が設けられていることを特徴とする（１）又は（２）に記載の家庭用バイオマス堆肥ペレット製造装置。
【００１０】
（４）前記ステムはスプリングを介して前記コンテナに取付けられ、前記ステムが前記コンテナ内に押し込まれた後、前記スプリングの弾性力・撓み力により略元の位置に戻るものである（３）に記載の家庭用バイオマス堆肥ペレット製造装置。
（５）前記ジャッキアップが油圧手動式のものであり、ダイス孔よりバイオマス堆肥ペレットが押し出された後、ジャッキアップのエアー抜きをすることで、前記ステム及びダミーブロックと連動してジャッキアップが略元の状態に戻るものである（４）に記載の家庭用バイオマス堆肥ペレット製造装置。
【発明の効果】
【００１１】
本発明の家庭用バイオマス堆肥ペレット製造装置によれば、家庭で発生する生ゴミ等のバイオマスから、各家庭毎に、乾燥堆肥ペレットを簡易に安全に安価に製造することができる。
本発明の家庭用バイオマス堆肥ペレット製造装置は、ゴミの減量化、環境保護に役立つばかりか行政負担の軽減が図れるものである。
本発明の家庭用バイオマス堆肥ペレット製造装置は、単純・簡易な構造にして、特に維持費がリーズナブルな低廉価格なものである。
【図面の簡単な説明】
【００１２】
【図１】本発明の家庭用バイオマス堆肥ペレット製造装置の図である。（ａ）は側断面図、（ｂ）は上面図である。
【図２】本発明の家庭用バイオマス堆肥ペレット製造装置のバイオマス堆肥製造機部分の側面図である。
【図３】本発明の家庭用バイオマス堆肥ペレット製造装置のペレット製造機部分の側面図である。
【図４】本発明の家庭用バイオマス堆肥ペレット製造装置のペレット製造機のシリンダー部分の中心Ａ−Ａの断面図である。
【発明を実施するための形態】
【００１３】
以下、本発明を詳細に説明する。
本発明の家庭用バイオマス堆肥ペレット製造装置は、バイオマスを発酵させて水分含有量が１０〜２０重量％の乾燥バイオマス堆肥を製造するバイオマス堆肥製造機と、該バイオマス堆肥製造機により製造された無定形のバイオマス堆肥からペレット状のバイオマス堆肥・燃料とするペレット製造機とで構成されてなる家庭用バイオマス堆肥ペレット製造装置であって、前記ペレット製造機はシリンダー形状を有し、バイオマス堆肥が投入される投入口がその上側部に設けられ、投入されたバイオマス堆肥がビレット状態で保持され、圧力によりペレットが押し出されるダイス孔がシリンダー空間の一方に開けられたコンテナと、前記ダイス孔に対向する方向から上記コンテナ内に押し入れ可能で、上記投入されたバイオマス堆肥をコンテナ内にビレット状態に押し詰めるピストン状のステムと、前記ステムを上記コンテナ内に押し入れ上記コンテナ内のビレット状態のバイオマス堆肥を圧縮して上記ダイス孔からペレット状に押し出すジャッキアップとを有することを特徴とする。
【００１４】
ここで、「バイオマス」とは、再生可能な、生物由来の有機性資源で化石資源を除いたもの、つまり、太陽エネルギーと水や土といった自然を使って生物が作り出した様々な資源を意味し、本明細書においては、特に、家庭で発生する生ゴミ、落ち葉、大鋸屑、雑草、新聞紙、雑誌等を指す。
【００１５】
本発明の家庭用バイオマス堆肥ペレット製造装置（以下、単に「堆肥ペレット製造装置」ということがある。）の一例を図１に示す。図１中、（ａ）は側面図、（ｂ）は上面図である。
【００１６】
図１に示す堆肥ペレット製造装置１００は、図２に示す、無定形のバイオマス堆肥を製造するバイオマス堆肥製造機１００Ａと、図３に示す、バイオマス堆肥のペレットを製造するペレット製造機１００Ｂとで構成されてなる。
また、ペレット製造機１００Ｂのシリンダー部分の断面図を図４に示す。これらの詳細については、後述する。
【００１７】
図１に示す堆肥ペレット製造装置１００において、バイオマス堆肥製造機１００Ａ及びペレット製造機１００Ｂは、テーブル３０上に設置されている。
ペレット製造装置１００によれば、各家庭で発生する生ゴミ等のバイオマスを、バイオマス堆肥製造機１００Ａによりバイオマス堆肥とした後、得られたバイオマス堆肥を、ペレット製造機１００Ｂにより、手動ではあるが連続的に、バイオマス堆肥ペレットとすることができる。
【００１８】
図２に示すバイオマス堆肥製造機１００Ａは、バイオマス粉砕投入口２０、バイオマス粉砕機１６、粉砕バイオマス受け皿２５、ハンドル付回転式攪拌器付出し入れ可能な穴開き・濾過式発酵機及び発酵外容器（以下、単に「攪拌器付発酵機」という。）２６、ハンドル付回転式攪拌機２７、並びに、ハンドル付回転式攪拌器付穴開き・濾過式出し入れ可能な熟成・乾燥発酵器（以下、単に「乾燥発酵器」という。）２８からなる。なお、図２中、２１は水道水差込口、２２は水道蛇口、２３は水道水ホース簡易繋器、２４はディスポーザー排水口、３１は穴開き・濾過式空気穴である。
【００１９】
攪拌器付発酵機２６は、出し入れ可能な穴開き・濾過式攪拌機付内箱容器と外箱容器とを有する二重構造容器であり、外箱容器は、発酵温度を保つばかりか、醗酵時の水とアンモニアに分解された水分を保管して、コック栓を抜いて一度に取り除き垂れ流すことなく処分することができる。この攪拌器付発酵機２６は、乾燥発酵器２８をハンドル付回転式攪拌機２７とともに、そのまま取り出して、熟成・乾燥させることが出来て、空の乾燥発酵器２８を交換して攪拌器付発酵器２６に収めて次の作業を行うことができる。また、出来上がった乾燥堆肥を取り出すのに内箱容器の底板をはずす構造になっているので容易に取り出すことができる構造となっている。
【００２０】
図２に示すバイオマス堆肥製造機１００Ａにより、以下に述べる手順にてバイオマス堆肥を得ることができる。
バイオマス堆肥製造機は、生ゴミと腐葉土を混合してなる粉砕小片であって、水分含有量５０〜８０重量％のものを発酵させた後、乾燥させることで、水分含有量が１０〜２０重量％のバイオマス堆肥を製造するものであるのが好ましい。
【００２１】
先ず、処理の対象となる生ゴミ等のバイオマスと腐葉土とを、バイオマス粉砕投入口２０に投入し、バイオマス粉砕機１６内で２０ｍｍ以下の均一な大きさに粉砕する。
【００２２】
バイオマス粉砕投入口２０から投入されたバイオマス及び腐葉土は、水道水差込口２１から流入された水と混合され、粉砕・流出され、ディスポーザー排水口２４から排出されて粉砕バイオマス受け皿２５に送られ、水分含有量５０〜８０重量％、好ましくは６０％〜７０％程度（水を絞って手に水分を感じられる状態を目安に、現在の重量計測にて計算する。）となるように水切りされる。
【００２３】
次いで、水切りされた粉砕バイオマス（ダイオキシン汚染された可能性大の大鋸屑、重金属が付着した新聞紙・雑誌等のバイオマスは別途外安全施設に於いて高反応・特号消石灰と称される消石灰指定量と混ぜた紙粘土化した状態となってダイオキシンや重金属等を略取り除いた状態である。）、及び腐葉土を、攪拌器付発酵器２６中に投入し、ここで十分に発酵させる。例えば、粉砕バイオマスを、攪拌器付発酵器２６中にて、発酵の三条件（発酵温度、水分、空気）を満たすべく、水分含有量６０％〜７０％程度、発酵温度４０℃〜７０℃にて、一日数回手動攪拌して空気を混合しながら、半月ほど（最後に追加投入した日を目安に行う。）十分に発酵させる。
【００２４】
発酵を開始させるには、攪拌器付発酵器２６の容量７分目までの場合には、消石灰を堆肥容量の１．０％〜１．５％投入攪拌することにより行う。
攪拌器付発酵器２６の容量７分目より多くなってからの温度調整は、砂糖（低温時温度上昇）と塩（高温時温度下降）を用いることにより行う。
なお、一旦発酵が開始すれば、その後は、粉砕バイオマスを投入するだけで、腐葉土をほとんど投入する必要はない。あたかも漬物のぬか床のごとくである。
【００２５】
その後、発酵物を、攪拌器付発酵器２６から乾燥発酵器２８中に移し、乾燥発酵器２８を風通しのよい場所に３０日間程度置いて、熟成させながら、水分含有量が１０〜２０％（水に浸けて絞らない状態の重量を計測しておき、現在の乾燥状態での重量を計測して計算する。）になるまで乾燥させることにより、無定形の（一定の形をなさない）バイオマス堆肥を得ることができる。
【００２６】
なお、発酵時の臭い対策は、攪拌した状況をめどに、天候や臭いの度合いに合わせて、木酢を堆肥容積の２％分水溶液１００ｍｌを入れて混合することにより行うことができる。
【００２７】
次いで、得られた無定形のバイオマス堆肥を、図３に示すペレット製造機１００Ｂにより、ペレット化する。
【００２８】
図３、４に示すペレット製造機１００Ｂは、バイオマス堆肥投入口１、ステム３、ビレット押し込み用取手２、ジャッキ手動ハンドル４、ジャッキアップ５、図示しないシリンダー１０を支えるコンテナ６、及びダイス孔７からなる。
【００２９】
図３、４に示すペレット製造機１００Ｂは、本発明の堆肥ペレット製造装置の連関一部であって、コンテナ６の左側内部にはシリンダー空間を構成するシリンダー１０が設けられており、その右側には、高圧力の手動ジャッキアップ５が設けられている。
【００３０】
コンテナ６の材質は、使用場所・目的・環境条件に合わせて決定することができる。コンテナ６の材質としては、鋼鉄・アルミニウム合金が好ましい。
また、コンテナ６は内部に円筒状の空間を有し、軽量化が必然的に求められるので、強度計算を基にハニカム構造とすることも好ましい。
ステム３及びダミーブロック１１の材質としては、例えば、鉄・ステンレスが挙げられる。
【００３１】
ステム３及びダミーブロック１１は、ジャッキアップ５を挟んで５〜１０トンの圧力をコンテナ６にて受け止めてもらい、これを受けるコンテナ６は、上述のように、高圧力に耐え得る材質（例えば、鋼鉄製、ステンレス製、アルミ合金製など）からできている。
【００３２】
前記ステム３はスプリング１４を介して前記コンテナ６に取付けられている。ステム３がコンテナ６内に押し込まれた後、前記スプリング１４の弾性力・撓み力により、前記ステム３及びダミーブロック１１は、乾燥堆肥投入口１が全開放された元の位置に戻るようにすることができる。これによって、乾燥堆肥を投入する作業を手動であっても連続自動的に行うことができる。
【００３３】
ここで「略元の位置」というのは、以下のような意味である。すなわち、ビレット押し込み用取手２を手動で図中左方向に移動可能とするために、スプリング１４には緩やかな撓みをもたせているので、ステム３及びダミーブロック１１が完全に元の位置に戻らない場合が生じ得る。このとき、ビレット押し込み用取手２を、図中左方向に片手で叩き・押し込む（場合によってはこの操作を数回繰り返す。）ことで、前記スプリング１４のその衝撃撓み力の２倍の力にて、前記ステム３及びダミーブロック１１が元の位置に戻される。
【００３４】
スプリング１４は、ステム３及びダミーブロック１１を元の位置に戻すことができるだけの弾性力を有し、かつ、緩やかな撓みを有する必要がある。
【００３５】
ステム３は、その先端にすり鉢状のコンテナ６の形状に対応する砲弾形状を有し、高圧力をダミーブロック１１に伝える役割を果たす。ステム３は、ダイス孔に対向する片方の口のスライドしないアジャスト蓋１５部分が不動固定アジャストとなって、図中左右に正確にスライド可能となっている。
【００３６】
ビレット押し込み用取手２、ダミーブロック１１及びステム３は、一体となって同一スライド運動可能にて、撓みのある単体スプリング１４の引っ張り弾性運動はそれぞれに対して常に共用されている。
【００３７】
ダミーブロックカバー１３は、ビレット押し込み用取手２を手動にて投入口１よりバイオマス堆肥を押し込む際に、スプリング室内（ダミーブロック１１、ステム３の部分）に異物が入り込まないようにするために設置される。すなわち、スプリング１４が異常なく働くためにダミーブロックカバー１３に因って乾燥堆肥、その他の物がステム３とスプリング１４の空間に入り込まない構造となっている。
【００３８】
また、ダミーブロック１１の側面には、オイルシーリング１２が設けられている。
オイルシーリング１２は、潤滑油をフェルトシーリングに滲み込ませてビレット内壁シリンダーとの摩擦抵抗を減らし、尚且つ圧縮密度を高めることを目的として設置される。これによって潤滑性能を上げて、シリンダー内気密を高める効果を得ることができる。
【００３９】
ダイス孔７は鉄製焼入れですり鉢形状を有し、筒型シリンダーの片方の口の中央に設けられている。ダイス孔の大きさは適宜設定することができる（例えば、直径４〜６ｍｍを規定値とする。）。
【００４０】
ジャッキアップ５は油圧手動となっており、ダイス孔７に対向する片方の口のスライドしない不動蓋１５部分と、前項のダミーブロック１１との両端に前項のスプリング１４が固定されている。
【００４１】
ジャッキアップ５の圧力は、例えば、横置き５トン、縦置き１０トンであるために、縦・横置きともに使用できるように設計された構造システム・機械である。
【００４２】
ダイス孔７よりバイオマス堆肥ペレットが押し出された後は、ジャッキアップ５のエア抜き９を開放する。このとき、前記ステム３及びダミーブロック１１がスプリング１４の弾性力・撓み力により略元の位置に戻ると同時に、前記ステム３及びダミーブロック１１と連動して、ジャッキアップ５ヘッド部分も略収まった元の位置に戻るようになっている。
【００４３】
以下、図３及び４に示すペレット製造機１００Ｂにより、バイオマス堆肥ペレットを得る手順を詳細に説明する。
【００４４】
先ず、上記で得た無定形の乾燥堆肥（例えば、４５０ｍｌ程度）をバイオマス堆肥投入口１から投入する。
【００４５】
次いで、図３、４中、ビレット押込用取手２を、例えば１５〜２０ｍｍ程度、図中左方向に叩き・押込むことにより、ステム３が図中左方向にスライドし、バイオマス堆肥投入口１が閉じ、投入されたバイオマス堆肥がコンテナ６内部の左側に押し詰められる。
【００４６】
なお、図４に示すように、スライド可能なダミーブロック１１とステム３は引っ張りスプリング１４に固定されており、引っ張りスプリング１４はスライドしないアジャスト蓋１５に固定されているが、引っ張りスプリングの伸びを適度に調節することで、ビレット押込用取手２は、図中左方向に１５〜２０ｍｍ程度は手動で動かすことができるようになっている。例えば、Ｍａｘ４０ｍｍの引っ張り伸びるスプリング弾性力Ｍａｘ２０ｋｇ内容の撓みも緩やかな特注スプリング複数の中から現場合わせにて選別決定することができる。
【００４７】
再度、ビレット押込用取手２を１５〜２０ｍｍ程度、図中左方向に叩き込むことにより、バイオマス堆肥投入口１が閉じ、投入されたバイオマス堆肥がコンテナ６内部の左側に押し詰められる。この作業を数回繰り返すことにより、コンテナ６内部において、バイオマス堆肥をビレット状態とすることができる。上述のように、スライド可能なステム３とダミーブロック１１は引っ張りスプリング１４に固定され、引っ張りスプリング１４はスライドしないアジャスト蓋１５に固定されているので、ビレット押込用取手２を１５〜２０ｍｍ程度、図中左方向に叩き込んだ後は、スプリング１４の弾性力・撓み力により、ステム３とダミーブロック１１は自動的に略元の位置に戻る。このため、効率よく容易に連続作業を行うことができる。
【００４８】
次いで、ジャッキ手動ハンドル４を、図３中矢印方向に倒すことにより、ステム３とダミーブロック１３を通して油圧手動ジャッキアップ５の高圧力にて、シリンダー１０内のバイオマス堆肥が図中左方向に押し込まれ、乾燥堆肥のペレットがダイス孔７から押し出される。なお、本実施形態では油圧手動式のジャッキアップを使用しているが、油圧シリンダーであってもよい。
【００４９】
ダイス孔７よりバイオマス堆肥ペレットが押し出された後は、ジャッキアップ５のエア抜き９を開放する。
上述のように、スライド可能なステム３とダミーブロック１１は引っ張りスプリング１４に固定され、引っ張りスプリング１４はスライドしないアジャスト蓋１５に固定されているので、引っ張りスプリング１４の弾性力によって、ステム３及びダミーブロック１１と連動してジャッキアップ５が略元の状態に戻る。なお、緩やかな撓みのある特注スプリングであるがために定位置まで戻らないときは、前記ビレット押込用取手２を数回左方向に手で叩き・押し込むことで、前記スプリングに加重された２倍以上の撓み力にて、ジャッキアップ５を容易に元の位置に戻すことができる。
【００５０】
同様の操作を繰り返すことにより、バイオマス堆肥をシリンダー１０内に再充填し、バイマス堆肥をビレット状態としたのち、再度ジャッキ手動ハンドル４を下方に何回も希望の高圧力に達するまで倒すことにより、ダイス孔７からバイオマス堆肥のペレットを取り出すことができる。
これらの操作を繰り返すことにより、バイオマス堆肥のペレットを連続的に製造することができる。
【符号の説明】
【００５１】
１・・・バイオマス堆肥搬入口
２・・・ビレット押込用ステム取手
３・・・ステム
４・・・ジャッキ手動ハンドル
５・・・ジャッキアップ
６・・・コンテナ
７・・・ダイス孔
８・・・ジャッキ止めコンテナ金具
９・・・ジャッキアップのエア抜き
１０・・・シリンダー
１１・・・ダミーブロック
１２・・・オイルシーリング
１３・・・ダミーブロックカバー
１４・・・引っ張りスプリング
１５・・・ネジ込み固定蓋アジャスト
１６・・・バイオマス粉砕機
２０・・・生ゴミ・バイオマス粉砕投入口
２１・・・水道水差込口
２２・・・水道蛇口
２３・・・水道水ホース簡易繋器
２４・・・ディスポーザー（Ｄｉｓｐｏｓｅｒ）排出口
２５・・・粉砕バイオマス受け皿
２６・・・ハンドル付回転式攪拌器付出し入れ可能な発酵機及び発酵外容器（攪拌器付発酵機）
２７・・・ハンドル付回転式攪拌機
２８・・・ハンドル付回転式攪拌器付出し入れ可能な熟成・乾燥発酵器（乾燥発酵器）
２９・・・ペレット製造機
３０・・・テーブル
３１・・・空気孔・濾過式
【図１】
2011251888.tif 000003
【図２】
2011251888.tif 000004
【図３】
2011251888.tif 000005
【図４】
2011251888.tif 000006
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
バイオマスを発酵させて水分含有量が１０〜２０重量％のバイオマス堆肥を製造するバイオマス堆肥製造機と、該バイオマス堆肥製造機により製造された無定形のバイオマス堆肥からペレット状のバイオマス堆肥・燃料とするペレット製造機とで構成されてなる家庭用バイオマス堆肥ペレット製造装置であって、
前記バイオマス堆肥製造機は、出し入れ可能な穴開き・濾過式攪拌機付き内箱容器と外箱容器とを有する二重構造の発酵機を備えるものであり、前記内箱容器内において、
生ゴミと腐葉土を混合してなる粉砕小片であって、水分含有量５０〜８０重量％のものを発酵させた後、得られた発酵物を前記穴開き・濾過式攪拌機付き内箱容器のまま外に出して熟成・乾燥させることで、水分含有量が１０〜２０重量％のバイオマス堆肥を製造するものであり、
前記ペレット製造機は、シリンダを有し、バイオマス堆肥が投入される投入口がその上側部に設けられ、投入されたバイオマス堆肥がビレット状態で保持され、圧力によりペレットが押し出されるダイス孔がシリンダ空間の一方に開けられたコンテナと、
前記ダイス孔に対向する方向から前記コンテナ内に押し入れ可能で、投入されたバイオマス堆肥をコンテナ内にビレット状態に押し詰めるピストン状のステムと、
前記ステムをコンテナ内に押し入れ、該コンテナ内のビレット状態のバイオマス堆肥を圧縮して前記ダイス孔からペレット状に押し出す、縦置きの状態で重さ１０トンの物を上方に持ち上げることができるだけの圧力を加えることができる、横置きされたジャッキアップとを有し、
前記コンテナとシリンダは前記ジャッキアップの高圧力に耐えうる材質からなり、かつ、
前記ステムの先端には、ダイス孔が中央に設けられたすり鉢状の台座の形状に対応する砲弾形状のダミーブロックが設けられ、前記ステムのジャッキアップ側には、前記バイオマス堆肥をコンテナ内にビレット状態に押し詰めるために前記ステムを前記コンテナ内に出し入れさせる手動の取手が設けられており、かつ、
前記ステムはスプリングを介して前記コンテナに取付けられ、前記ステムが前記コンテナ内に押し込まれた後、前記スプリングの弾性力・撓み力により略元の位置に戻るものであることを特徴とする家庭用バイオマス堆肥ペレット製造装置。
【請求項２】
ダイオキシン汚染された可能性大または重金属が付着したバイオマスは、別途外安全施設に於いて、消石灰の指定量と混ぜてダイオキシンや重金属を略取り除いて紙粘土化した状態とした後、前記内箱容器内に投入することを特徴とする請求項１に記載の家庭用バイオマス堆肥ペレット製造装置。
【請求項３】
前記ジャッキアップが油圧手動式のものであり、ダイス孔よりバイオマス堆肥ペレットが押し出された後、ジャッキアップのエアー抜きをすることで、前記ステム及びダミーブロックと連動してジャッキアップが略元の状態に戻るものである請求項１または２に記載の家庭用バイオマス堆肥ペレット製造装置。
【手続補正２】
【補正対象書類名】明細書
【補正対象項目名】００１８
【補正方法】変更
【補正の内容】
【００１８】
図２に示すバイオマス堆肥製造機１００Ａは、バイオマス粉砕投入口２０、バイオマス粉砕機１６、粉砕バイオマス受け皿２５、ハンドル付回転式攪拌器付出し入れ可能な穴開き・濾過式攪拌機付内箱容器及び外箱容器（以下、単に「攪拌器付発酵器」という。）２６、ハンドル付回転式攪拌機２７、並びに、ハンドル付回転式攪拌器付穴開き・濾過式出し入れ可能な熟成・乾燥発酵器（以下、単に「乾燥発酵器」という。）２８からなる。なお、図２中、２１は水道水差込口、２２は水道蛇口、２３は水道水ホース簡易繋器、２４はディスポーザー排水口、３１は穴開き・濾過式空気穴である。
【手続補正３】
【補正対象書類名】明細書
【補正対象項目名】００１９
【補正方法】変更
【補正の内容】
【００１９】
攪拌器付発酵器２６は、出し入れ可能な穴開き・濾過式攪拌機付内箱容器と外箱容器とを有する二重構造容器であり、外箱容器は、発酵温度を保つばかりか、醗酵時の水とアンモニアに分解された水分を保管して、コック栓を抜いて一度に取り除き垂れ流すことなく処分することができる。この攪拌器付発酵器２６は、乾燥発酵器２８をハンドル付回転式攪拌機２７とともに、そのまま取り出して、熟成・乾燥させることが出来て、空の乾燥発酵器２８を交換して攪拌器付発酵器２６に収めて次の作業を行うことができる。また、出来上がった乾燥堆肥を取り出すのに内箱容器の底板をはずす構造になっているので容易に取り出すことができる構造となっている。
【手続補正４】
【補正対象書類名】明細書
【補正対象項目名】００２３
【補正方法】変更
【補正の内容】
【００２３】
次いで、水切りされた粉砕バイオマス（ダイオキシン汚染された可能性大の大鋸屑、重金属が付着した新聞紙・雑誌等のバイオマスは、別途外安全施設に於いて、高反応・特号消石灰と称される消石灰指定量と混ぜて、ダイオキシンや重金属等を略取り除いて紙粘土化した状態とする。）、及び腐葉土を、攪拌器付発酵器２６中に投入し、ここで十分に発酵させる。例えば、粉砕バイオマスを、攪拌器付発酵器２６中にて、発酵の三条件（発酵温度、水分、空気）を満たすべく、水分含有量６０％〜７０％程度、発酵温度４０℃〜７０℃にて、一日数回手動攪拌して空気を混合しながら、半月ほど（最後に追加投入した日を目安に行う。）十分に発酵させる。
【手続補正５】
【補正対象書類名】明細書
【補正対象項目名】００５１
【補正方法】変更
【補正の内容】
【００５１】
１・・・バイオマス堆肥搬入口
２・・・ビレット押込用ステム取手
３・・・ステム
４・・・ジャッキ手動ハンドル
５・・・ジャッキアップ
６・・・コンテナ
７・・・ダイス孔
８・・・ジャッキ止めコンテナ金具
９・・・ジャッキアップのエア抜き
１０・・・シリンダ
１１・・・ダミーブロック
１２・・・オイルシーリング
１３・・・ダミーブロックカバー
１４・・・引っ張りスプリング
１５・・・ネジ込み固定蓋アジャスト
１６・・・バイオマス粉砕機
２０・・・生ゴミ・バイオマス粉砕投入口
２１・・・水道水差込口
２２・・・水道蛇口
２３・・・水道水ホース簡易繋器
２４・・・ディスポーザー（Ｄｉｓｐｏｓｅｒ）排出口
２５・・・粉砕バイオマス受け皿
２６・・・穴開き・濾過式攪拌機付内箱容器及び外箱容器（攪拌器付発酵器）
２７・・・ハンドル付回転式攪拌機
２８・・・ハンドル付回転式攪拌器付出し入れ可能な熟成・乾燥発酵器（乾燥発酵器）
２９・・・ペレット製造機
３０・・・テーブル
３１・・・空気孔・濾過式
【手続補正書】
【提出日】平成23年4月8日(2011.4.8)
【手続補正１】
【補正対象書類名】特許請求の範囲
【補正対象項目名】請求項２
【補正方法】変更
【補正の内容】
【請求項２】
ダイオキシン汚染された、または重金属が付着したバイオマスは、別途外安全施設に於いて、消石灰と混ぜてダイオキシンや重金属を取り除いて紙粘土化した状態とした後、前記内箱容器内に投入することを特徴とする請求項１に記載の家庭用バイオマス堆肥ペレット製造装置。